(57)【要約】      （修正有）【課題】  人生の３分の１は睡眠といわれる中、寝具は非常に重要なアイテムである。しかし、自分に合った寝具とりわけ枕は探すのが至難の業である。そこで、今回発明した高さ調節機能及び形状調節機能付き枕カバーは、自分の任意の高さに調節が可能でる点、さらに体型や頭部及び頸部の形状に合わせた湾曲を作れる点により、この課題を解消し快眠を提供することができる。【解決手段】  枕カバー１にマジックテープ２〜４を取り付けることにより、枕本体を枕カバーに収納したときの枕自体の高さと形状を自由に調整できるようにした。調節具合はマジックテープの貼り付け位置を変えることによって自由にできる。また、中央のマジックテープ３の締め上げを強くすることによって、頭部周辺の形状にフィットするような湾曲を作ることも可能である。【選択図】図７
2007313259.tif 000002
【特許請求の範囲】
【請求項１】
使用する者の好みの高さに調節可能な枕カバーである。
【請求項２】
使用する者の体型や肩幅及び頸部に合わせた形状に自在に変化させることができる枕カバーである。
【発明の詳細な説明】
【技術分野】
【０００１】本発明は人それぞれ好みの異なる枕の高さを枕カバーにマジックテープを付けることにより、調節を可能にしたものである。
それと同時に、体型や肩幅及び頸部に応じた湾曲を作ることが可能であるため、使用する者が自分に合ったオリジナル枕を作成することができるものである。
【背景技術】
【０００２】高さ調節のできる枕は存在するが、枕カバーによって高さ調節や枕の形状を自在に変化する枕カバーは存在しなかった。
【発明の開示】
【発明が解決しようとする課題】
【０００３】枕を好みの高さに調節しようとすると枕を２重に重ねたり、枕の下にマットを敷いたりしなければならなかった。
また、肩及び頸部周辺の形状にぴったりと合う枕はオーダーで作り以外になかった。本発明はこの課題を容易に解消するためになされたものである。
【課題を解決するための手段】
【０００４】枕の本体に装着する枕カバー１にマジックテープ２〜４を取り付け、そのマジックテープ２〜３をマジックテープ４を任意の場所に固定することにより、好みの高さに枕を調節することができるようにした。
また、マジックテープ２を４に軽く止め、マジックテープ３を４に締め上げながら止めることにより、頸部があたる部分を湾曲させることができ、頸部の形に応じた形状を作成できるようにした。
【発明の効果】
【０００５】枕の高さが合わないことが原因での不眠を、本発明である高さを好みに応じて調整できる枕カバーを装着することにより解決できる。
また、人それぞれ異なる頸部周辺の形状にもぴったりと合わせることができることにより、睡眠中の疲れや肩こりにも効果的である。
しかも、付属のマジックテープでワンタッチでできる手軽さがこれらの効果をより一層実感しやすくしている。
以下、本発明の実施の形態について説明する。
（イ）．枕カバー１は三方に縫いしろのある長方形の筒状のものである。開口部は長方形の短い方の１辺とする。
（ロ）．枕カバー１の表側（頭を乗せる側）にマジックテープ２〜３を４カ所、袋状奥から等間隔に２．３．３．２の順に縫いつける。
（ハ）．枕カバー１の裏側にマジックテープ４を４カ所、袋状奥から等間隔に縫いつける。
【実施例１】
【０００６】枕カバー１に枕を挿入し、袋口の余った部分を折り返し中身が出ないようにする。次にマジックテープ２〜３を裏側にあるマジックテープ４に貼り合わせる。その時に好みの高さに合うようにマジックテープの締め上げ具合を調節する。装着した図が図３〜図５である。【０００７】枕カバー１に枕を挿入し、袋口の余った部分を折り返し中身が出ないようにする。次にマジックテープ２〜３を裏側にあるマジックテープ４に貼り合わせる。その時に首や頭の形に合わせた湾曲を作るために、マジックテープ２は締め上げ具合を軽くしてマジックテープ４に貼り合わせ、中央のマジックテープ３をやや強めに締め上げることによって頸部の形状にフィットした枕ができる。装着した図が図６〜図８である。
【図１】
2007313259.tif 000003
【図２】
2007313259.tif 000004
【図３】
2007313259.tif 000005
【図４】
2007313259.tif 000006
【図５】
2007313259.tif 000007
【図６】
2007313259.tif 000008
【図７】
2007313259.tif 000009
【図８】
2007313259.tif 000010
【手続補正書】
【提出日】平成18年8月4日(2006.8.4)
【手続補正１】
【補正対象書類名】明細書
【補正対象項目名】全文
【補正方法】変更
【補正の内容】
【発明の詳細な説明】
【技術分野】
【０００１】本発明は人それぞれ好みの異なる枕の高さを枕カバーにマジックテープを付けることにより、調節を可能にしたものである。
それと同時に、体型や肩幅及び頸部に応じた湾曲を作ることが可能であるため、使用する者が自分に合ったオリジナル枕を作成することができるものである。
【背景技術】
【０００２】高さ調節のできる枕は存在するが、枕カバーによって高さ調節や枕の形状を自在に変化する枕カバーは存在しなかった。
【図面の簡単な説明】
【０００３】
【図１】  平面図  枕カバー本体の表側をを真上から見た図である。
【図２】  平面図  枕カバー本体の裏側をを真上から見た図である。
【図３】  見取り図  枕カバーを枕に装着したときの表側から見た見取り図である。
【図４】  見取り図  枕カバーを枕に装着したときの裏側から見た見取り図である。
【図５】  立面図  枕カバーを枕に装着したときの頸部側から見た見取り図である。
【図６】  平面図  枕カバーを枕に装着し、頸部の形状に合わせた湾曲を作った図の表側である。
【図７】  平面図  枕カバーを枕に装着し、頸部の形状に合わせた湾曲を作った図の裏側である。
【図８】  立面図  枕カバーを枕に装着し、頸部の形状に合わせた湾曲を作ったものの頸部側から見た立面図である。
【符号の説明】
【０００４】  １．  枕カバー本体
２．  マジックテープ凸面サイド用
３．  マジックテープ凸面センター用
４．  マジックテープ凹面
【発明の開示】
【発明が解決しようとする課題】
【０００５】枕を好みの高さに調節しようとすると枕を２重に重ねたり、枕の下にマットを敷いたりしなければならなかった。
また、肩及び頸部周辺の形状にぴったりと合う枕はオーダーで作る以外になかった。
本発明はこの課題を容易に解消するためになされたものである。
【課題を解決するための手段】
【０００６】枕の本体に装着する枕カバー１にマジックテープ２〜４を取り付け、そのマジックテープ２〜３をマジックテープ４を任意の場所に固定することにより、好みの高さに枕を調節することができるようにした。
また、マジックテープ２を４に軽く止め、マジックテープ３を４に締め上げながら止めることにより、頸部があたる部分を湾曲させることができ、頸部の形に応じた形状を作成できるようにした。
【発明の効果】
【０００７】枕の高さが合わないことが原因での不眠を、本発明である高さを好みに応じて調整できる枕カバーを装着することにより解決できる。
また、人それぞれ異なる頸部周辺の形状にもぴったりと合わせることができることにより、睡眠中の疲れや肩こりにも効果的である。
しかも、付属のマジックテープでワンタッチでできる手軽さがこれらの効果をより一層実感しやすくしている。
以下、本発明の実施の形態について説明する。
（イ）．枕カバー１は三方に縫いしろのある長方形の筒状のものである。開口部は長方形の短い方の１辺とする。
（ロ）．枕カバー１の表側（頭を乗せる側）にマジックテープ２〜３を４カ所、袋状奥から等間隔に２．３．３．２の順に縫いつける。
（ハ）．枕カバー１の裏側にマジックテープ４を４カ所、袋状奥から等間隔に縫いつける。
【実施例１】
【０００８】枕カバー１に枕を挿入し、袋口の余った部分を折り返し中身が出ないようにする。次にマジックテープ２〜３を裏側にあるマジックテープ４に貼り合わせる。その時に好みの高さに合うようにマジックテープの締め上げ具合を調節する。装着した図が図３〜図５である。【０００９】枕カバー１に枕を挿入し、袋口の余った部分を折り返し中身が出ないようにする。次にマジックテープ２〜３を裏側にあるマジックテープ４に貼り合わせる。その時に首や頭の形に合わせた湾曲を作るために、マジックテープ２は締め上げ具合を軽くしてマジックテープ４に貼り合わせ、中央のマジックテープ３をやや強めに締め上げることによって頸部の形状にフィットした枕ができる。装着した図が図６〜図８である。